(57)【要約】【課題】ベルト部がサンダル台の前後方向にスライド可能なサンダルにおいて、歩行中等にベルト部が歪み不安定になることを防止する。【解決手段】サンダル台の中央部にスライド受け板と、スライド受け板上を前後にスライドするスライド板を設け、ベルト部の左右の端部をスライド板の左右の両側に固定する、または、サンダル台の中央部に左右の側面間を貫通するガイド穴を設け、ガイド穴内を前後にスライドする板状または棒状のスライド部を設け、ベルト部の左右の端部をスライド部の左右の両側に固定する。【選択図】図１−２
2011161127.tif 000002
【特許請求の範囲】
【請求項１】
ベルト部がサンダル台に対して前後方向にスライド可能なサンダルであって、
前記サンダル台は中央部に左右の側面間を貫通するガイド穴を有し、
前記ガイド穴内に前記ガイド穴内を前後にスライドするスライド部を有し、
前記ベルト部の左右の端部を各々前記スライド部の左右の側部に固定することを特徴とするサンダル。
【請求項２】
請求項１記載のサンダルであって、
前記ガイド穴は前後端に壁を有するスライド受け板の中央のスライド溝であることを特徴とするサンダル。
【請求項３】
請求項１または請求項２記載のサンダルであって、
前記スライド部はガイド穴内をスライドする横板と左右のガイド壁からなることを特徴とするサンダル。
【請求項４】
請求項１ないし請求項３記載のサンダルであって、
前記ベルト部は前記スライド部の左右の両側に着脱自在に固定されることを特徴とするサンダル。
【請求項５】
請求項１ないし請求項４記載のサンダルであって、
前記スライド部はガイド穴内をスライドする横板と左右のガイド壁からなることを特徴とするサンダル。
【請求項６】
請求項１ないし請求項５記載のサンダルであって、
前記サンダル台の中央部は周辺部より高く盛り上がっていることを特徴とするサンダル。
【請求項７】
請求項１ないし請求項５記載のサンダルであって、
前記サンダル台の長手方向の両端側の面は前方と後方に向かって下方に傾斜していることを特徴とするサンダル。
【発明の詳細な説明】
【技術分野】
【０００１】
本発明は、家庭、病院、養老院等で使用するサンダルに関するものであり、特に、前後の両方向から履脱可能なサンダルに関するものである。
【背景技術】
【０００２】
家庭または病院等では簡易な履物としてサンダルが広く使用されている。履物を脱いだ後に同じ履物を履く場合、履く前に履物を正しい向きに変える必要がある。家庭では両手に荷物を持った状態で履物の履き脱ぎを行う場合が多く、病院では身体動作が不自由な患者が使用する場合が多い。しかし、両手に荷物を持った状態で、または身体動作が不自由な患者が屈んで履物の向きを変える動作は面倒であり多くの労力を必要とする。また、トイレ等で使用する際に履物の向きを変えるような場合においては、手で操作することは不衛生でもある。
【０００３】
上記問題を解決する方法として、向きを変える動作を必要としない両方向に履脱可能なサンダルの提案が多くなされている。従来の形状は足を乗せるサンダル台の略中央に足を通すベルト部を設けた形状の他、下記の特許文献１または特許文献２に示されるような、ベルト部をサンダル台の上を長手方向、即ち前後方向に移動可能とし、ベルト部がサンダル台に載せた足の前方に位置する構成としたものが提案されている。
【０００４】
特許文献１に記載される構成は、足を乗せるサンダル台と、サンダル台の上部にアーチ状に設けられて足に係止されるベルト部とを備えたサンダルにおいて、サンダル台の長手方向の両側部に沿って、且つ長手方向の略中央部にガイドレール部を左右一対形成し、ベルト部の左右両端側にガイドローラを設け、ベルト部の左右のガイドローラが前記左右のガイドレール部に夫々スライド可能に嵌合することによりベルト部がサンダル台の長手方向にスライド可能とするものである。
特許文献２に記載される構成は、足に係止されるベルト部の左右に２箇所ずつ、合計４箇所に金属又は硬質プラスチックのリングを設け、さらに、サンダル台の長手方向に左右１本ずつのパイプを設け、このパイプにベルト部のリングを通すことにより、パイプに沿ってベルト部が前後に移動可能とするものである。
【先行技術文献】
【特許文献】
【０００５】
【特許文献１】実用新案登録第３１３５５１７号公報
【特許文献２】実用新案登録第３０２６５８７号公報
【発明の概要】
【発明が解決しようとする課題】
【０００６】
上記各文献に記載される構成は、何れもベルト部の左右をサンダル台の長手方向にスライド可能に取り付けることにより、ベルト部をサンダル台の前後方向に移動可能とするものである。ベルト部は足の甲に当たる部分であるため、布または皮等、柔軟性を有する素材により製作されている。また、特許文献１に示されるベルト部の端部に設けたガイドローラをサンダル台に設けたガイドレール内を移動させる構成、または特許文献２に示されるベルト部の端部に設けたリングにサンダル台に設けたパイプを通して移動させる構成では、ガイドローラとガイドレールの間、またはたリングとパイプの間に隙間が存在する。この結果、歩行時に左右のガイドローラまたはリングの位置が大きくずれてベルト部が歪み、使用者に不快感を与え、歩行が困難となる問題がある。
本発明は上記の問題を解決するものであり、前後両方向から履脱可能なサンダル等の履物において、歩行時にベルト部が大きく歪むことかなく、利便性が優れかつ安全な歩行が可能な履物を提供するものである。
【課題を解決するための手段】
【０００７】
本発明はサンダル台の中央部に左右の側壁間を貫通する穴を設け、その穴の中に前後にスライドする部材（金属、または硬質の合成樹脂製など）のスライド部を挿入すると共に、スライド部の左右端部にベルト部の端部を固定する構成とするものである。当該構成により、ベルト部の左右の端部はスライド部により略同一の動きをすることとなり、左右の端部の位置がずれてベルト部が歪み、使用者に不快感を与え、歩行が困難となることがない。
【図面の簡単な説明】
【０００８】
【図１−１】第１の実施例に係るサンダルの構成要素の詳細図
【図１−２】第１の実施例に係るサンダルの側面図
【図２】第２の実施例に係るサンダルの図
【図３】第３の実施例に係るサンダルの図
【実施例１】
【０００９】
図１−１は本発明に係るサンダルの第１の実施例を構成する要素の詳細図であり、図１−２は同サンダルの側面図である。当該実施例は、下敷き１７０、前後２つの部分からなる中敷き１６０、スライド受け板１５０、スライド部１４０、スライドカバー１３０、上敷き１２０、ベルト部１１０から構成されている。
下敷き１７０はサンダルの最も下の層を構成するものであり、下面に滑り止めを設けたポリウレタン等の合成樹脂製である。
中敷き１６０は、第１部分１６１と第２部分１６２の２つの部分からなり、スチレンまたはポリウレタン等の合成樹脂により製作されている。第１部分１６１と第２部分１６２はスライド受け板１５０を中央に挟んだ状態で下敷き１７０の上面に接着される。
スライド受け板１５０は金属またはポリプロピレン等の硬質の合成樹脂製であり、前後方向を壁１５１と１５２に挟まれたスライド溝１５３が設けられている。スライド受け板１５０を中敷き１６０の第１部分１６１と第２部分１６２により挟んだ状態で下敷き１７０の上面に接着すると、略中央部にスライド溝１５３が位置する。
【００１０】
スライド部１４０は金属またはポリプロピレン等の硬質の合成樹脂製であり、横板１４３と左右のガイド壁１４１と１４２から構成されている。横板１４３がスライド溝１５３内に位置するようにスライド部１４０をスライド受け板１５０上に置くと、左右のガイド壁１４１と１４２は中敷き１６０とスライド受け板１５０の左右の側面を挟む状態になる。スライド受け板１５０上にスライド部１４０を置いた状態でスライドカバー１３０をスライド受け板１５０の壁１５１と１５２の上に接着する。当該構成により、スライド部１４０の左右のガイド壁１４１と１４２がサンダルの側壁を挟んだ状態で、横板１４３はスライド溝１５３面の上面をスライドし、壁１５１と１５２の間を前後方向に移動する。ガイド壁１４１と１４２には、ベルト部１１０の甲当て１１１に設けられた留め具１１２と勘合する留め具１４４が取り付けられている。
上敷き１２０は足を乗せる部分であり、スチレン等の合成樹脂により製作されており、中敷き１６０とスライドカバー１３０の上面と接着され、サンダルの本体が形成される。
上敷き１２０の中央部１２２は周辺部１２１から盛り上がった形状であり、足を乗せた時、土踏まずが位置し歩行を容易にする。
【００１１】
ベルト部１１０の甲当て１１１は利用者の足の甲を保持する部分であり、布または皮等の柔軟性のある素材により製作されてある。甲当て１１１の両端には、スライド部１４０の左右のガイド壁１４１と１４２に設けられた留め具１４４と勘合する留め具１１２が取り付けられている。留め具としてホックボタン等、任意の留め具を用いることが可能である。図１−１に示される例では、左右に各々２個のホックボタンを設けた構成であり、留め具１１２をホックボタンのメス、留め具１４４をホックボタンのオスとしたものである。
【００１２】
図１−２は完成したサンダルの側面図である。サンダル本体の最下層は下敷き１７０であり、その上に中敷き１６０の第１部分１６１、スライド受け板１５０、中敷き１６０の第２部分１６２が接着されている。スライド受け板１５０の壁１５１と１５２の側面が露出している。壁１５１と１５２の間のスライド溝１５３にスライド部１４０の横板１４３が置かれており、ガイド壁１４２と図示されていないガイド壁１４１がサンダル本体の側面と接している。ガイド壁１４２に設けられた留め具１４４に甲当て１１１の留め具１１２を勘合することにより、サンダル本体にベルト部１１０が着脱自在に取り付けられている。
上記構成により、ベルト部１１０はスライド受け板１５０上を前後にスライドするスライド部１４０と一体となってサンダル本体上を前後にスライドする。利用者が図の右側から足先をサンダルに挿入すると、ベルト部１１０は足の甲に押されて左方向に移動し、スライド部１４０の横板１４３がスライド受け板１５０の壁１５２に当節した位置で停止する。ベルト部１１０の左右の位置は硬質の素材により製作されたスライド部１４０により確定し、歩行中に不安定な動きをすることがなく、安定した歩行が可能となる。
また、横板１４３とスライド溝１５３の間隙を適宜調整可能とする、あるいは、スポンジ材、ゴム等の軟い部材を横板１４３あるいはスライド溝１５３に設けることにより、スライド部の横板１４３の動きを必要に応じて調整することが可能となる。
【００１３】
図２は本発明に係るサンダルの第２の実施例を示す図であり、（ａ）は側面図、（ｂ）はサンダル台の上面図、（ｃ）は断面図である。サンダル台２０１は木，プラスチック，ゴムまたは軽金属等により形成されている。また、これらの材質を積層して用いることも可能である。サンダル台２０１の中央部には左右の側面間を貫通するガイド穴２０５が開けられている。必要に応じてガイド穴２０５の周囲に保護用のガイド板２０６を設けることも可能である。ガイド穴２０５内には、穴内を前後にスライドする板状のスライド部２０７が設置されている。スライド部２０７の左右の側面には、ベルト部２１０の両端部に設けられた留め具２０３と勘合する留め具２０４が２つずつ設けられている。留め具はホックボタン、ネジ、マジックテープ等任意の手段が選択可能である。
サンダル台２０１の長手方向の両端側の面は、前方端及び後方端に向かって下方に傾斜した傾斜部２０５となっている。足を乗せる面が指先に向かって下方に傾斜しているため、サンダル台に足を乗せ履くことが容易となり、安定した歩行が可能となる。
【００１４】
図３は本発明に係るサンダルの第３の実施例を示す図である。同実施例はベルト部３０３をサンダル台３０１に着脱自在に取り付ける留め具３０４と３０６を左右各々１つずつとした構成ある。
図２に示される実施例と同様、サンダル台３０１の中央部には左右の側面間を貫通するガイド穴３０２が開けられている。ガイド穴３０２には、穴内を前後にスライドする棒状のスライド部３０５が設置されている。スライド部３０５の左右の側面には、ベルト部３０３の両端部に設けられた留め具３０４と勘合する留め具３０６が設けられている。スライド部３０５の断面の形状は１つの留め具３０６を保持することが可能な形状であれば十分であり、スライド部３０５を断面が円形または四角形の棒状とするこが可能である。当該構成によりベルト部３０３とスライド部３０５を軽量化することが可能となる。
【産業上の利用可能性】
【００１５】
本発明はベルト部がサンダル台の前後方向にスライド可能に取り付けた両方向に履脱可能なサンダルに関するものであり、特に、ベルト部が大きく歪み、歩行に困難をきたす問題を解決するものである。
本発明に係る第１の実施例に係るサンダルは、サンダル台の中央部にスライド受け板と、スライド受け板上を前後にスライドするスライド部を設け、ベルト部の左右の端部をスライド板の左右の両側に固定するものである。
第２及び第３の実施例に係るサンダルは、サンダル台の中央部に左右の側面間を貫通するガイド穴を設け、ガイド穴内を前後にスライドする板状または棒状のスライド部を設け、ベルト部の左右の端部をスライド部の左右の両側に固定するものである。
【００１６】
上記構成のサンダルは、足の甲をベルト部に掛けると、ベルト部とスライド部は一体的に足先方向に移動する。硬質の素材より作成されているスライド部にベルト部の左右の端部が固定されていることにより、歩行中にベルト部が大きく変形し足元が不安定となることがなく、安全に歩行することが可能となる。
サンダル台上面の中央部を周辺部より高くすることにより、前後何れの方向から履いても利用者の足裏の形状とサンダル台の上面の形状が類似となり、安定した歩行が可能となる。
また、サンダル台の前後方向の両端側の面を前方と後方に向かって下方に傾斜させることにより、足を乗せた面が指先に向かって下方に傾斜することになり、サンダル台に足を乗せて履くことが容易となると共に安定した歩行が可能となる。
【図１−１】
2011161127.tif 000003
【図１−２】
2011161127.tif 000004
【図２】
2011161127.tif 000005
【図３】
2011161127.tif 000006